(57)【要約】【課題】シート固定具を取り付けても防水下地としての強度を確保できるようにする。【解決手段】断面形状が波型である金属製の防水下地１と、防水下地１上に敷設された断熱材２と、断熱材２よりも上側に配置された状態で防水下地１に固定された複数のシート固定具４と、断熱材２上に敷設され、シート固定具４に固定された防水シート３と、防水下地１における隣り合う山部５に亘る状態で、隣り合う山部５に固定された鋼板８と、が備えられている。【選択図】図１
2018044386.tif 000002
【特許請求の範囲】
【請求項１】
断面形状が波型である金属製の防水下地と、
前記防水下地上に敷設された断熱材と、
前記断熱材よりも上側に配置された状態で前記防水下地に固定された複数のシート固定具と、
前記断熱材上に敷設され、前記シート固定具に固定された防水シートと、
前記防水下地における隣り合う山部に亘る状態で、前記隣り合う山部に固定された鋼板と、が備えられた屋根防水システム。
【請求項２】
前記鋼板の裏面に、溝型断面形状の溝型部材が、開放側が前記鋼板に接する状態で取り付けられ、
前記鋼板が前記防水下地に固定された状態で、前記溝型部材は、前記隣り合う山部の間の空間に位置している請求項１に記載の屋根防水システム。
【請求項３】
前記溝型部材は、金属製であって、前記鋼板に剛接合されている請求項２に記載の屋根防水システム。
【請求項４】
前記鋼板の裏面に、前記溝型部材の開放側の両縁部をそれぞれ係止自在な一対の係止部が設けられている請求項２に記載の屋根防水システム。
【発明の詳細な説明】
【技術分野】
【０００１】
本発明は、断面形状が波型である金属製の防水下地（例えば、デッキプレートや折板等）と、前記防水下地上に敷設された断熱材と、前記断熱材よりも上側に配置された状態で前記防水下地に例えばビス等のネジ部材で固定された複数のシート固定具と、前記断熱材上に敷設され、前記シート固定具に固定された防水シートと、を備えた屋根防水システムに関する。
【背景技術】
【０００２】
従来、この種の屋根防水システムとしては、防水下地として、デッキプレートを使用したものがあり、シート固定具を防水下地に固定するネジ部材は、デッキプレートの波型の山部に取り付けるように構成してあった（例えば、特許文献１参照）。
この従来技術は、ネジ部材の貫通箇所が、防水下地の下方空間から見えないようにするために、デッキプレートの山部を構成するフランジ部にネジ部材が取り付けられるようにすると共に、前記フランジ部の下方側に、下方からの視線を遮る目隠し部が設けられていた。
【先行技術文献】
【特許文献】
【０００３】
【特許文献１】特開２００５−３２０７２２号公報（段落番号〔００２２〕、図２）
【発明の概要】
【発明が解決しようとする課題】
【０００４】
この種の屋根防水システムにおいては、風が屋根面に沿って吹くことで屋根面への揚力が発生し、この揚力が防水下地にも作用することがある。その際、防水下地には、スパン中央部が上に引き上げられるような変形が生じるから、防水下地の上縁に位置する山部の引張強度が充分発揮されることが重要となる。
【０００５】
上述した従来の屋根防水システムによれば、デッキプレートの山部を構成するフランジ部に、ネジ部材が取り付けられることで、ネジ部材の貫通部がフランジ部の断面欠損となり、デッキプレートの強度の低下を招く虞がある。
【０００６】
また、例えば、防水シートの経年劣化、又は、他の要因によって、現状の防水シートの上に、新しい防水シートを敷設する改修工事が必要となる場合、新たなシート固定具を設けるために、前記フランジ部にネジ部材を取り付けることになり、前記フランジ部の断面欠損が更に増加して、防水下地の強度低下を招く虞がある。
【０００７】
従って、本発明の目的は、上記問題点を解消し、シート固定具を取り付けても防水下地の強度を充分確保できる屋根防水システムを提供するところにある。
【課題を解決するための手段】
【０００８】
本発明の特徴は、断面形状が波型である金属製の防水下地と、前記防水下地上に敷設された断熱材と、前記断熱材よりも上側に配置された状態で前記防水下地に固定された複数のシート固定具と、前記断熱材上に敷設され、前記シート固定具に固定された防水シートと、前記防水下地における隣り合う山部に亘る状態で、前記隣り合う山部に固定された鋼板と、が備えられたところにある。
【０００９】
本発明によれば、防水下地における隣り合う山部に亘る状態で、前記隣り合う山部に固定された鋼板が備えられているから、シート固定具固定用のネジ部材を、この鋼板に取り付けることが可能となる。
即ち、波型の防水下地にシート固定具を固定するにあたり、従来のように、山部にシート固定具固定用のネジ部材を取り付ける必要が無くなる。
【００１０】
その結果、防水下地の山部にネジ部材が貫通することによる防水下地の断面欠損を防止でき、防水下地としての強度を充分確保できるようになる。
更には、鋼板が、隣り合う山部にわたって固定されているから、山部の補強を鋼板によって実現することができ、防水下地全体としての強度アップを図ることができる。
【００１１】
また、鋼板が設けられている部分においては、その上に載置されている断熱材を支持することができるから、断熱材の上からの荷重（例えば、作業者の足による荷重）によって断熱材が踏み抜け等によって破壊することを防止できる。この効果は、鋼板における、山部の尾根方向の取付間隔が短いほど、又は、山部の尾根方向の寸法が長いほど、より好適に発揮される。
【００１２】
また、例えば、前述したように、防水シートの改修工事が必要となる場合にも、新たなシート固定具を鋼板にネジ部材で固定することができるようになり、防水下地の山部の断面欠損を防止して、防水下地としての強度を充分確保できるようになる。
そして、防水シートの改修工事の際には、防水下地の下方空間は、既に、使用されていることが多いから、前記ネジ部材の穿孔によって発生する切粉が前記下方空間に落下することは防止する必要がある。
本発明によれば、ネジ部材の穿孔は、防水下地の隣り合う山部に亘って固定された鋼板を対象に実施できるから、穿孔に伴う切粉は、隣り合う山部の間に位置する谷部によって受け止められ、前記下方空間に落下することが防止される。
【００１３】
本発明においては、前記鋼板の裏面に、溝型断面形状の溝型部材が、開放側が前記鋼板に接する状態で取り付けられ、前記鋼板が前記防水下地に固定された状態で、前記溝型部材は、前記隣り合う山部の間の空間に位置していると好適である。
【００１４】
本構成によれば、鋼板の裏面に、溝型部材を上述のように取り付けられているから、溝型部材によって鋼板の断面係数が増加し、鋼板の剛性や強度の増加を見込めるようになる。
従って、鋼板に取り付けられるシート固定具の支持強度、更には、シート固定具に固定された防水シートの支持強度を、共に向上させることができる。
更には、鋼板上に設置された断熱材に対する支持強度も向上する。
【００１５】
また、ネジ部材の先端が溝型部材の溝内部に位置する状態に鋼板を穿孔している場合は、穿孔によって発生する切粉は、溝型部材の溝底部によって受け止められるから、その下方に位置する防水下地の前記谷部と合わせて二重の落下防止策が実現する。
【００１６】
尚、切粉は、穿孔によって乱されているから、板状の金属に比べて表面が酸化し易い（錆び易い）状態となっており、例えば、防水下地の前記谷部に接触する状態に落下すると、切粉の錆が前記谷部に移り易くなる虞があるが、溝型部材によって切粉を受け止めることで、このような影響を防止できる。
【００１７】
本発明においては、前記溝型部材は、金属製であって、前記鋼板に剛接合されていると好適である。
【００１８】
本構成によれば、溝型部材と鋼板との一体性が向上するから、鋼板に取り付けられるシート固定具の支持強度、及び、シート固定具に固定された防水シートの支持強度、更には、鋼板上に設置された断熱材に対する支持強度を、より向上させることができる。
また、鋼板に取り付けられるシート固定具固定用のネジ部材を、溝型部材の底部にも達するまで螺進を深めて螺合させると、鋼板と底部との二箇所で支持されるから、ネジ部材の軸芯方向に沿った外力のみならず、ネジ部材の径方向に沿った外力にも強力に対抗でき、シート固定具の支持強度を更に向上させることができる。
【００１９】
本発明においては、前記鋼板の裏面に、前記溝型部材の開放側の両縁部をそれぞれ係止自在な一対の係止部が設けられていると好適である。
【００２０】
本構成によれば、前記一対の係止部に、溝型部材の両端縁部を係止させるだけの簡単な操作によって、鋼板と溝型部材とを一体化することができる。従って、例えば、溶接による一体化に比べて、形成手間や形成コストの低減を図ることができる。
【図面の簡単な説明】
【００２１】
【図１】新築時の屋根防水システムを示す一部切欠き斜視図である。
【図２】新築時の屋根防水システムを示す断面図である。
【図３】改修時の屋根防水システムを示す一部切欠き斜視図である。
【図４】改修時の屋根防水システムを示す断面図である。
【図５】別実施形態の鋼板を示す斜視図である。
【図６】別実施形態の鋼板を示す斜視図である。
【図７】別実施形態の屋根防水システムを示す断面図である。
【図８】別実施形態の鋼板を示す断面図である。
【図９】別実施形態の鋼板を示す断面図である。
【発明を実施するための形態】
【００２２】
以下に本発明の実施の形態を図面に基づいて説明する。
【００２３】
〔新築時の屋根防水システムの説明〕
図１、図２は、新築時の屋根防水システムの適用例を示している。
屋根Ｒ０は、例えば、デッキプレートや折板屋根等、断面形状が波型である金属下地（防水下地の一例）１の上に、ボード状の断熱材２が敷き並べられ、その断熱材２の上に、防水シート３が敷設して構成されている。
【００２４】
また、断熱材２の上には、縦横に間隔をあけた箇所に、円板状のシート固定具４が設置されており、このシート固定具４の上面に、防水シート３が接着固定されている。
因みに、シート固定具４は、金属製の円板で構成され、その中央部分に挿入したビス４ａを用いて金属下地１に固定されている（図２参照）。
【００２５】
断熱材２は、例えば、ウレタン系のフォーム材で形成してあり、無数の独立気泡が内在している。また、適度な強度と断熱性とを備えている。
【００２６】
防水シート３は、塩化ビニル樹脂製のものを例に挙げているが、他の公知の防水シート素材で構成してあってもよい。
【００２７】
シート固定具４と防水シート３との固定は、シート固定具４の上面に接着材を塗布して、その上に防水シート３を被せて接着する方法や、シート固定具４の上面に予めホットメルト接着層４ｂを設けておき、その上に防水シート３を被せた後、防水シート３の上から電磁誘導加熱によってシート固定具４を加熱して、その熱でホットメルト接着層４ｂを溶融させて接着する方法がある。
また、これらとは別の方法としては、図には示さないが、断熱材２の上に敷設した防水シート３の上にシート固定具４を配置して、ビス４ａを用いて金属下地１に固定することで押え固定し、その上から、シート固定具４よりも一回り大きな寸法に加工された防水パッチ（防水シート３と同素材で構成されている）を被せて、周囲を防水シート３に接着する方法が挙げられる。
これら、何れの方法によっても防水シート３を固定することができるが、ここでは、上述のホットメルト接着層４ｂを溶融させる接着方法を例に挙げて説明している。
【００２８】
金属下地１は、山部５と谷部６とが交互に連設された断面形状が波型の下地エレメント部材７の複数を、山部５と谷部６との連設方向Ｘでの各端部に備えた連結部（不図示）を介して連設して、屋根Ｒ０の全域にわたる状態に敷設してある。
山部５と谷部６とは、同じ幅寸法に形成してある。
尚、図には示していないが、金属下地１は、山部５（谷部６）の長手方向（尾根方向）Ｙでの適宜箇所において、梁等の支持部材の上に固定されており、金属下地１の下面は、下方の室内空間Ｖに露出した状態となっている。
【００２９】
また、金属下地１において隣り合う所定の山部５には、相互の上面にわたる状態で平板形状の鋼板８が溶接によって固定してある。当該実施形態においては、一つ置きの谷部６の上に鋼板８が位置するように設けられている。また、鋼板８は、山部５の前記長手方向Ｙに所定の間隔をあけて設けられている。
因みに、鋼板８の平面位置は、前記シート固定具４を設置する平面位置を前提に設定されており、当該実施形態おいては、各シート固定具４の設置ピッチは、金属下地１の鋼板８の平面位置に合わせて設定されており、シート固定具４は、鋼板８の幅方向（前記山部５と谷部６との連設方向Ｘ）のほぼ中央線上の何れかの箇所に、ビス４ａを使用して固定されている。また、鋼板８の厚み寸法は、金属下地１の厚み寸法と同じ寸法に設定してある。
【００３０】
また、鋼板８の裏面には、溝型断面形状の金属製溝型部材９が、予め、開放側が鋼板８の裏面に接する状態に溶接で剛接合されている。溝型部材９は、鋼板８の前記幅方向のほぼ中央部分に、溝長手方向が鋼板８の長手方向（前記山部５（谷部６）の長手方向Ｙ）に沿う状態で鋼板８のほぼ全長にわたって接合されている。
そして、シート固定具４を金属下地１に固定しているビス４ａは、溝型部材９の対向する両溝壁部９ａ，９ｂの間の空間で、鋼板８と溝底部９ｃとの間に先端が位置する状態で取り付けられている。つまり、ビス４ａは、鋼板８とのネジ嵌合力のみによって金属下地１に固定されている。
【００３１】
〔新築時の屋根防水システムの施工手順〕
【００３２】
［１］下地エレメント部材７を、梁等の支持部材（不図示）上の所定位置に連設状態に固定して金属下地１を形成する。尚、隣接下地エレメント部材７どうしは、各連結部で連結しながら敷設作業を進める。
【００３３】
［２］金属下地１において隣り合う所定の山部５にわたって、鋼板８を溶接固定する。
鋼板８は、前記長手方向Ｙに間隔をあけてそれぞれ固定する。また、鋼板８の裏面側には、予め、前記溝型部材９が固着されている。
【００３４】
［３］金属下地１の上の全域にわたって、断熱材２を敷き詰めると共に、その上の所定位置にシート固定具４を配置して、シート固定具４に挿通したビス４ａを金属下地１の鋼板８に螺進させて取り付ける。
尚、鋼板８をビス４ａで穿孔する際に生じる切粉Ｋは、図２に示すように、溝型部材９の溝底部９ｃによって受け止められており、谷部６や、下方の室内空間Ｖへの落下が防止されている。
また、鋼板８に対するシート固定具４の配置関係は、溝型部材９の範囲であれば、何れの位置であってもよいが、当該実施形態においては、後述する改修工事の際に改修用シート固定具４０を設置するために、鋼板８に対して前記長手方向Ｙにおける一端側に偏芯させた位置に設置してある（図１参照）。
【００３５】
［４］断熱材２、及び、シート固定具４の上を覆う状態に防水シート３を敷き詰め、その上から、シート固定具４の設置位置において電磁誘導加熱装置（不図示）でシート固定具４を加熱し、ホットメルト接着層４ｂを溶融させた後、防水シート３の上から押圧して接着する。
【００３６】
以上の工程によって新築時の屋根防水を実施することができる。
このように形成された屋根防水も、防水シート３の経年劣化や、風等によって防水シート３が捲れ上がる等の理由によって、新しく改修用防水シート３０を敷設（改修工事）しなければならなくなることがある。
以下に、改修時の屋根防水システムについて説明する。
【００３７】
〔改修時の屋根防水システムの説明〕
図３、図４は、改修時の屋根防水システムの適用例を示している。
改修された屋根Ｒ１は、前記金属下地（防水下地の一例）１、断熱材２、防水シート３、シート固定具４等、改修前の屋根Ｒ０は、そのまま残した状態で、その上に、改修用シート固定具４０、改修用防水シート３０を設置することで構成されている。
【００３８】
因みに、当該実施形態おいては、防水シート３、及び、改修用防水シート３０は、同一の素材を使用してあり、ここでは、塩化ビニル樹脂製のものを例に挙げている。
また、シート固定具４、及び、改修用シート固定具４０についても同種の部材を使用してあり、ここでは、金属製の円板で構成され、上面にホットメルト接着層４０ｂが設けられたものを使用している。
【００３９】
防水シート３の上には、縦横に間隔をあけた箇所に、改修用シート固定具４０が設置されており、このシート固定具４の上面に、改修用防水シート３０が接着固定されている。
因みに、改修用シート固定具４０も、前述のシート固定具４の場合と同様に、中央部分に挿入したビス４０ａを用いて金属下地１の鋼板８に固定されている。
また、改修用シート固定具４０に対する改修用防水シート３０の固定方法に関しても、前述のシート固定具４に対する防水シート３の固定と同じ方法で実施されている。
【００４０】
〔改修時の屋根防水システムの施工手順〕
【００４１】
［１］防水シート３の上の所定位置に改修用シート固定具４０を配置して、改修用シート固定具に挿通したビス４０ａを金属下地の鋼板８に螺進させて取り付ける。
鋼板８に対する改修用シート固定具４０の配置関係は、溝型部材９の範囲であれば、何れの位置であってもよいが、当該実施形態においては、先に設置されているシート固定具４との干渉を避けるために、鋼板８に対して前記長手方向Ｙにおける他端側に偏芯させた位置に設置してある（図３参照）。
尚、鋼板８をビス４０ａで穿孔する際に生じる切粉Ｋは、図４に示すように、溝型部材９の溝底部９ｃによって受け止められており、谷部６や、下方の室内空間Ｖへの落下が防止されている。
【００４２】
［２］防水シート３、及び、改修用シート固定具４０の上を覆う状態に改修用防水シート３０を敷き詰め、その上から、改修用シート固定具４０の設置位置において電磁誘導加熱装置（不図示）で改修用シート固定具４０を加熱し、ホットメルト接着層４０ｂを溶融させた後、改修用防水シート３０の上から押圧して接着する。
【００４３】
以上の工程によって改修時の屋根防水を実施することができる。
当該実施形態の屋根防水システムによれば、新築時、改修時を通して、波型の金属下地１における山部５及び谷部６の何れにもビス４ａ，４０ａを取り付けないから、ビス貫通穴による断面欠損が無く、金属下地１としての所定の強度を維持することができる。
また、隣り合う山部５にわたって鋼板８を固着してあるから、金属下地１全体としては、鋼板８による補強効果を見込むことができると共に、断熱材２を鋼板８で支持できるから、断熱材２の踏抜けの防止効果をも期待できる。
そして、鋼板８に対するビス４ａ，４０ａの螺着に伴って生じる切粉Ｋは、溝型部材９によって受け止めることができ、前記室内空間Ｖや、谷部６に落下するのを防止できる。
【００４４】
〔別実施形態〕
以下に他の実施の形態を説明する。
【００４５】
〈１〉  防水下地１は、先の実施形態で説明した金属下地に限るものではなく、断面形状が波型である金属製のものであれば、細部の形状は適宜変更可能であり、デッキプレートや折板、又は、公知の他の金属下地等、広い範囲で適用させることができる。
【００４６】
〈２〉  断熱材２や、防水シート３，３０や、シート固定具４，４０は、先の実施形態で説明した材質や形状に限るものではなく、適宜変更することができる。
また、防水シート３，３０に関しては、新築時の防水シート３と、改修時の改修用防水シート３０とは、必ずしも同種のものでなくてもよい。
また、シート固定具４，４０に関しても、新築時のシート固定具４と、改修時の改修用シート固定具４０とは、必ずしも同種のものでなくてもよい。
更には、シート固定具４，４０は、先の実施形態で説明した円板形状のものに限らず、例えば、楕円板形状や、矩形板形状や、多角形板形状や、帯板形状等であってもよい。
【００４７】
〈３〉  シート固定具４，４０と防水シート３，３０との固定は、先の実施形態で説明したように、シート固定具４，４０の上面に予めホットメルト接着層４ｂ、４０ｂを設けておき、その上に防水シート３，３０を被せた後、防水シート３，３０の上から電磁誘導加熱によってシート固定具４，４０を加熱して、その熱でホットメルト接着層４ｂ，４０ｂを溶融させて接着する方法に限るものではない。
例えば、ホットメルト接着層４ｂ，４０ｂに替えて、接着材をシート固定具４，４０の上面に塗布した状態で防水シート３，３０を被せて接着する方法や、敷設した防水シート３，３０の上にシート固定具４，４０を配置して、ビス４ａ，４０ａを用いて金属下地１に固定することで押え固定し、その上から、シート固定具４，４０よりも一回り大きな寸法に加工された防水パッチを被せて、周囲を防水シート３，３０に接着する方法であってもよい。
【００４８】
〈４〉  鋼板８は、先の実施形態で説明したように、防水下地１に現地で溶接によって固定することに限らず、予め、別の場所（例えば、現地の溶接ヤードや、工場等）で固定しておいてもよい。また、固定方法は、溶接に限らず、ボルト固定や、リベット固定や、圧接固定、接着固定等であってもよい。
また、防水下地１への鋼板８の固定位置は、先の実施形態で説明したように、山部５の長手方向Ｙに間隔をあけて設けるものに限らず、例えば、山部５の全長（又は、ほぼ全長）にわたって連続する状態に設けてあってもよい。その際、複数の鋼板８を間隔をあけずに隣接させて山部５の全長（又は、ほぼ全長）にわたって設けたり、山部５の全長に合わせて長さ設定した単一の鋼板８を、山部５の全長（又は、ほぼ全長）にわたって設けてあってもよい。このような構成によれば、断熱材２の踏抜き防止効果が向上すると共に、シート固定具４，４０の配置上の自由性が高まる。そして、鋼板８による防水下地１の補強効果も更に向上する。
尚、先の実施形態においては、鋼板８の裏面に溝型部材９を設けてある例を説明したが、溝型部材９を設けてない構成であってもよい。
【００４９】
〈５〉  鋼板８の裏面には、先の実施形態で説明した溝型部材９を設けることに限るものではなく、例えば、図５に示すように、溝型部材９に替えて、金属製の縦リブ１９を設けてあってもよい。この場合においても、縦リブ１９によって鋼板８の剛性及び強度が向上するから、シート固定具４，４０の固定強度を高めることができる。この縦リブ１９は、図５に示すように、前記長手方向Ｙに沿って配置することに限らず、例えば、前記連設方向Ｘに沿って配置してあってもよい。また、縦リブ１９は、二つに限らず、一つや三つ以上の複数であってもよい。
【００５０】
〈６〉  溝型部材９は、先の実施形態で説明した一対の溝壁部９ａ，９ｂと、溝底部９ｃとを備えた断面形が角溝形状であるものに限らず、例えば、断面形が、角の丸まった「Ｕ」字形状であったり、「Ｖ」字形状や、円弧形状であってもよい。
また、鋼板８に対する溝型部材９の取付姿勢は、先の実施形態のように、前記山部５の長手方向Ｙに溝型部材９の長さ方向が沿う姿勢に限らず、例えば、図６に示すように、前記連設方向Ｘに溝型部材９の長さ方向が沿う姿勢に取り付けてあってもよい。
また、シート固定具４，４０を鋼板８にビス４ａ，４０ａで取り付ける際、図７に示すように、鋼板８と溝形部材９との両方に螺着させることも可能で、この場合は、ビス４ａ，４０ａは、鋼板８と溝型部材９の溝底部９ｃとの二箇所で支持されるから、ビス４ａ，４０ａの軸芯方向に沿った外力のみならず、ビス４ａ，４０ａの径方向に沿った外力にも強力に対抗でき、シート固定具４，４０の支持強度を更に向上させることができる。
また、溝型部材９は、先の実施形態で説明した金属製の部材であることに限らず、例えば、合成樹脂製や木製や紙製等の部材であってもよい。この場合は、前述した各効果のうち、強度向上に係る効果は、金属の場合に比べて低くなるものの、軽量化を図ることが可能となる他、切粉Ｋの受止め効果に関しては、金属の場合と同様に発揮することができる。
また、溝型部材９を金属で構成する場合、鋼板８に対する接合方法としては、先の実施形態で説明した溶接に限るものではなく、例えば、ボルト固定や、リベット固定や、圧接固定、接着固定等であってもよく、要するに、剛接合できるものであればよい。
【００５１】
〈７〉  鋼板８は、先の実施形態においては、平板形状のものを説明したが、平板形状に限るものではなく、例えば、図８、図９に示すように、前記長手方向に沿った溝部８Ａを備えたものであってもよい。この場合、溝部８Ａによる断面二次モーメントの増加によって、鋼板８を変形し難くすることが可能となる。
図８に示す鋼板８は、裏面側に、素材の切起こしによって形成された一対の係止部８ａが設けられており、この係止部８ａに、溝型部材９の開放側の両縁部に形成した被係止部９ｄを係止させることで鋼板８に溝型部材９を取り付けてある。
係止部８ａは、図８に示すように、鋼板８の幅方向での中央よりも両側方によった位置にそれぞれ設けてあり、両係止部８ａの開口ｋどうしが対向する状態に配置されている。
また、係止部８ａは、鋼板８における前記長手方向Ｙに間隔をあけた複数個所に設けてある。
溝型部材９は、両溝壁部９ａ，９ｂにおける上縁部を、溝幅方向での外側へそれぞれ延出させて前記被係止部９ｄが形成してある。
係止部８ａへの被係止部９ｄの係止操作は、鋼板８の前記長手方向Ｙの一方側に溝型部材９を配置した状態で、前記係止部８ａの開口ｋに、被係止部９ｄを位置合わせし、溝型部材９を前記長手方向にスライドさせることで、被係止部９ｄが係止部８ａの開口ｋに進入して係止状態にすることができる。溝型部材９は、このように、鋼板８の裏面側に取り付けられている。
また、鋼板８に溝部８Ａを設ける他の例としては、図９に示すように、溝部８Ａ内に嵌合させて鋼板８と一体化が可能な詰め部材８Ｂを設けることもできる。図９に示す実施形態においては、溝部８Ａは、アリ溝形状であり、詰め部材８Ｂは、アリ溝の溝部８Ａに内嵌するように金属板を略台形形状に屈曲形成して構成してある。
但し、溝部８Ａや、詰め部材８Ｂの構成は、これに限るものではなく、形状や嵌合形式等、適宜変更することができる。例えば、溝部８Ａは、アリ溝形状に限らず、溝開口側も溝底側も、同じ幅寸法の矩形形状であったり、溝開口側の幅寸法が、溝底側の幅寸法より大きい上下逆台形形状等であってもよく、その場合の詰め部材８Ｂも、溝部８Ａの形状に合わせて変形することが可能である。また、溝部８Ａに対する詰め部材８Ｂの取り付けに関しては、嵌合のみならず、係止や係合によってもよい。
また、シート固定具４を鋼板８に固定するビス４ａ，４０ａは、詰め部材８Ｂのみに螺着させたり、詰め部材８Ｂと溝部８Ａとを貫通する状態で両方に螺着させるものであってもよい。
【００５２】
〈８〉  シート固定具４，４０の設置対象は、先の実施形態では、防水下地１の下方の室内空間Ｖに切粉Ｋを落下させない為に、隣り合う山部５にわたって固定された鋼板８に設定されていたが、例えば、新築時には、切粉Ｋが室内空間Ｖに落下しても支障がないような場合がある。このようなケースでは、新築時に限っては、山部５にシート固定具４を取り付ける構成を採用してもよい。この場合には、改修時には、鋼板８にシート固定具４０を設けることで、山部５の断面欠損を最小限に止めることが可能である。
【００５３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５４】
当該屋根防水システムは、新築時の屋根防水のみならず、防水シートの改修時の屋根防水にも利用することができる。
【符号の説明】
【００５５】
１      金属下地（防水下地の一例）
２      断熱材
３      防水シート
４      シート固定具
５      山部
８      鋼板
９      溝型部材
【図１】
2018044386.tif 000003
【図２】
2018044386.tif 000004
【図３】
2018044386.tif 000005
【図４】
2018044386.tif 000006
【図５】
2018044386.tif 000007
【図６】
2018044386.tif 000008
【図７】
2018044386.tif 000009
【図８】
2018044386.tif 000010
【図９】
2018044386.tif 000011